(57)【要約】      （修正有）【課題】特に電池付きで例えば、衣服や、ズボン、スカート、肌着、様々なブランドバッグ（又は鞄）、革製バッグ、ベルト（ウェストベルト）、レインコート、帽子、又はジャケット等の製品と一体にミシンで縫製、又は編成可能となる発光部材を提供する。【解決手段】発光部材は、編組物１と、導電体と、電池６１と、発光素子２とを有し、編組物は、本体部１１と前記本体部から延在された延在部１２とを有し、導電体が前記本体部内に設けられ、電池が導電体に電気的に接続され、発光素子が前記本体部内に設けられ、前記発光素子は、発光部２１と、両導電部とを有し、発光部からの光が前記編組物の本体部の外に出射され、両導電部が前記導電体に電気的に接続され、前記発光部材は、その編組物の延在部により前記製品と一体に結合されている。【選択図】図１
0003167296.tif 000002
【実用新案登録請求の範囲】
【請求項１】
製品に適用される電池付発光部材であって、
本体部と、前記本体部から延在された延在部とを有する編組物と、
前記本体部内に設けられた導電体と、
前記導電体に電気的に接続された電池と、
発光部と、少なくとも２つの導電部とを有し、
前記発光部からの光が前記編組物の本体部の外に出射され、前記両導電部が前記導電体に電気的に接続され、前記本体部内に設けられた少なくとも一つの発光素子とを含み、
前記発光部材は、その編組物の延在部により前記製品と一体に結合されていることを特徴とする電池付発光部材。
【請求項２】
前記編組物の本体部に少なくとも一つの孔が設けられ、前記発光素子の発光部が前記孔を介して本体部の外に露出されることを特徴とする請求項１に記載の発光部材。
【請求項３】
前記少なくとも一つの発光素子は、複数の発光素子を有し、前記編組物の本体部に前記発光素子の個々に対応する複数の孔が設けられ、各前記発光素子の発光部が各前記孔を夫々介して本体部の外に露出されることを特徴とする請求項２に記載の発光部材。
【請求項４】
前記延在部は、ミシン縫製及び編成方式のうち何れか一つで前記製品と一体に結合されていることを特徴とする請求項１に記載の発光部材。
【請求項５】
前記導電体は、可撓性プリント基板であり、前記発光素子の両導電部は、前記可撓性プリント基板に電気的に接続された２つの導電ピンであることを特徴とする請求項１に記載の発光部材。
【請求項６】
前記導電体は、少なくとも２本の導線であり、前記発光素子の両導電部が前記２本の導線にそれぞれ電気的に接続されていることを特徴とする請求項１に記載の発光部材。
【請求項７】
前記２本の導線が前記編組物の本体部と一体に編成されていることを特徴とする請求項６に記載の発光部材。
【請求項８】
前記２本の導線が夫々間隔を置いて交互に前記本体部と一体に編成され、前記２本の導線の重ね部の間に前記本体部が介在されていることを特徴とする請求項７に記載の発光部材。
【請求項９】
制御回路とスイッチとをさらに有し、前記制御回路とスイッチと電池とが前記導電体に電気的に直列接続され、前記制御回路は、前記発光素子の発光方式を制御することを特徴とする請求項１に記載の発光部材。
【請求項１０】
外部接続部材と、コネクタと、スイッチとをさらに含み、前記コネクタとスイッチとが前記導電体に電気的に直列接続され、前記外部接続部材は、電池と発光素子の発光方式を制御する制御回路とを有し、前記外部接続部材は、前記コネクタに対応する対応コネクタをさらに有し、前記外部接続部材は、前記対応コネクタにより前記コネクタに突き合せて電気的に導通されていることを特徴とする請求項１に記載の発光部材。
【請求項１１】
前記編組物は、前記本体部から夫々延在された一対の延在部を有し、前記発光部材は、その編組物の前記一対の延在部により前記製品と一体に結合されていることを特徴とする請求項１に記載の発光部材。
【請求項１２】
前記導電体は、少なくとも２本の導線であり、前記発光素子の両導電部が前記２本の導線にそれぞれ電気的に接続されていることを特徴とする請求項１１に記載の発光部材。
【請求項１３】
前記２本の導線が前記編組物の本体部と一体に編成されていることを特徴とする請求項１２に記載の発光部材。
【請求項１４】
前記２本の導線が夫々間隔を置いて交互に前記本体部と一体に編成され、前記２本の導線の重ね部の間に前記本体部が介在されていることを特徴とする請求項１３に記載の発光部材。
【請求項１５】
制御回路とスイッチとをさらに有し、前記制御回路とスイッチと電池とが前記導電体に電気的に直列接続され、前記制御回路は、前記発光素子の発光方式を制御することを特徴とする請求項１１に記載の発光部材。
【請求項１６】
外部接続部材と、コネクタと、スイッチとをさらに含み、前記コネクタとスイッチとが前記導電体に電気的に直列接続され、前記外部接続部材は、電池と、発光素子の発光方式を制御する制御回路とを有し、前記外部接続部材は、前記コネクタに対応する対応コネクタをさらに有し、前記外部接続部材は、前記対応コネクタにより前記コネクタに突き合せて電気的に導通されていることを特徴とする請求項１１に記載の発光部材。
【請求項１７】
前記編組物の本体部は、互いに接続された両半割体からなり、前記延在部が前記両半割体のうちいずれか一つから延在し、前記両半割体のうちにもう一つは結合縁部を有し、前記結合縁部が前記延在部にミシン縫製及び溶着方法のうちいずれか一つで結合されていることを特徴とする請求項１に記載の発光部材。
【請求項１８】
前記発光素子は、発光ダイオード及び有機発光ダイオードのうちいずれか一つであることを特徴とする請求項１に記載の発光部材。
【請求項１９】
製品に適用される電池付発光部材であって、
本体部と、前記本体部から延在された延在部とを有する編組物と、
前記編組物の本体部に接着溶着して一体に結合された可撓性プリント基板と、
前記可撓性プリント基板に電気的に接続された電池と、
発光部と、前記可撓性プリント基板に電気的に接続された少なくとも２つの導電部とを有する少なくとも一つの発光素子とを含み、
前記発光部材は、その編組物の延在部により前記製品と一体に結合されていることを特徴とする電池付発光部材。
【請求項２０】
前記発光素子の両導電部は、前記可撓性プリント基板に電気的に接続された２つの導電ピンであることを特徴とする請求項１９に記載の発光部材。
【請求項２１】
カバーをさらに有し、前記発光素子は、前記カバーと前記可撓性プリント基板との間に覆われていることを特徴とする請求項１９に記載の発光部材。
【請求項２２】
制御回路とスイッチとをさらに有し、前記制御回路とスイッチと電池とが前記可撓性プリント基板に電気的に直列接続され、前記制御回路は、前記発光素子の発光方式を制御することを特徴とする請求項１９に記載の発光部材。
【請求項２３】
外部接続部材と、コネクタと、スイッチとをさらに含み、前記コネクタとスイッチとが前記可撓性プリント基板に電気的に直列接続され、前記外部接続部材は、電池と、発光素子の発光方式を制御する制御回路とを有し、前記外部接続部材は、前記コネクタに対応する対応コネクタをさらに有し、前記外部接続部材は、前記対応コネクタにより前記コネクタに突き合せて電気的に導通されていることを特徴とする請求項１９に記載の発光部材。
【考案の詳細な説明】
【技術分野】
【０００１】
本考案は、発光部材に関し、特に、電池付きで布製品又は革製品に編成又はミシンで縫製して取着する発光可能な発光部材に関する。
【背景技術】
【０００２】
衣服や、ズボン、スカート、肌着、様々なブランドバッグ（又は鞄）、革製バッグ、ベルト（ウェストベルト）、レインコート、帽子、又はジャケットなどの製品に発光ダイオード（LED）などの発光素子を付加しようとする場合があるが、従来は、夜間に雰囲気や趣味又は美観の効果を増やすために、ジャケット及び帽子に発光素子を設けて発光させる程度のものしかない。
【０００３】
さらに、これらの製品は、ミシンによる縫製や、溶着（例えば、高周波）、又は熱熔着などの接合技術を用いて、複数種類の布（異なる材質、色及び形状）などで組み合せにすることができる。しかしながら、これらの製品に発光素子を結合させようとすることが、実際的には極めて困難であるので、従来の技術では、発光素子を透明防水布で被覆する方法を採用しているが、実質的に、このような方法では、これらの製品の編組物内に発光素子が結合されておらず、使用上及び造形上の両方としていずれも限定されることになってしまう。
【０００４】
そのため、例えば、衣服や、ズボン、スカート、肌着、様々なブランドバッグ（又は鞄）、革製バッグ、ベルト（ウェストベルト）、レインコート、帽子、又はジャケットなどの製品に対して、直接的にミシンで縫製、又は編成可能となる技術を提案することが本考案が解決しようとする課題である。
【考案の開示】
【考案が解決しようとする課題】
【０００５】
本考案は、発光部材を提供し、特に電池付きで既述したこれらの製品と一体にミシンで縫製又は編成可能となる発光部材を提供することを主な目的とする。
【課題を解決するための手段】
【０００６】
前記目的を達成するため、本考案による発光部材は、製品に適用される発光部材であって、編組物と、導電体と、電池と、少なくとも一つの発光素子とを含む。編組物は、本体部と、前記本体部から延在された延在部とを有し、前記導電体が前記本体部内に設けられ、前記電池が前記導電体に電気的に接続されている。前記発光素子が前記本体部内に設けられ、前記発光素子は、発光部と、少なくとも２つの導電部とを有し、前記発光部からの光が前記編組物の本体部の外に出射され、前記両導電部が前記導電体に電気的に接続されている。前記発光部材は、その編組物の延在部により前記製品と一体に結合されている。
【０００７】
よって、本考案の発光部材の延在部のみで前記製品と一体に直接的にミシン縫製又は編成可能となり、従来の欠点が完全に克服された。
【０００８】
本考案による発光部材は、さらに、制御回路とスイッチとを含み、前記制御回路、スイッチ及び電池が前記導電体に電気的に直列接続され、前記制御回路は、前記発光素子の発光方式を制御する。
【０００９】
本考案の特徴、特点及び技術内容をさらに深く了解を得るため、以下の本考案に係る詳細説明及び添付図面を参照すれば得られるが、前記添付図面は参考や説明のみ提供され、本考案を限定するものではない。
【図面の簡単な説明】
【００１０】
【図１】図１は、本考案の発光部材の斜視図である。
【図２】図２は、本考案の第１実施例を示し、図１のＡ−Ａ線の断面図である。
【図３】図３は、本考案の第２実施例を示し、図１のＡ−Ａ線の断面図である。
【図４】図４は、本考案の第３実施例を示し、図１のＡ−Ａ線の断面図である。
【図４Ａ】図４Ａは、本考案の第３実施例において導電体と発光素子との間を示す図（図に本体部が省略され）である。
【図５】図５は、本考案の第４実施例を示し、図１のＡ−Ａ線の断面図である。
【図６】図６は、本考案の第５実施例を示し、図１のＡ−Ａ線の断面図である。
【図７】図７は、本考案においてコネクタによる電池と制御回路との外接構造を示す図である。
【図８】図８は、本考案の回路ブロック図である。
【考案を実施するための最良の形態】
【００１１】
本考案は、発光部材を提供しており、図１は、本考案の斜視図であり、図２〜図６は、本考案の第１〜第５実施例をそれぞれ示す。
本考案の発光部材は、図示されない製品（衣服や、ズボン、スカート、肌着、様々なブランドバッグ（又は鞄）、革製バッグ、ベルト（ウェストベルト）、レインコート、帽子、又はジャケットなど）に適用されているが、これらに限られない。
【００１２】
＜第１実施例＞
図１、図２に示すように、本考案の第１実施例は、編組物１と、少なくとも一つの発光素子２と、導電体３とを含み、ここで、複数の発光素子２が図示される。発光素子２は、発光ダイオード（LED）又は有機発光ダイオード（Organic Light-Emitting Diode;以下にOLEDと略称し）である。
【００１３】
例えば、布地、綿地または編地などである編組物１は、本体部１１と、本体部１１から延在された少なくとも一つの延在部１２とを有し、ここで、一つの延在部１２を有する編組物１が図示される。これらの発光素子２及び導電体３が本体部１１内に設けられ、勿論、編組物１が編成されるときに、これらの発光素子２及び導電体３を本体部１１内に一緒に編成しても良い。
【００１４】
各発光素子２は、発光部２１と、少なくとも２つの導電部２２とを有し、発光部２１からの光が編組物１の本体部１１の外に出射され、両導電部２２が導電体３に電気的に接続され、ここで、第１実施例の両導電部２２が２つの導電ピンであることが図示され、また、導電体３は、可撓性プリント基板である。よって、導電体３に電力を供給すると、発光素子２の全てが発光できる。
【００１５】
図に示すように、第１実施例の編組物１では、発光素子２からの光を出射する方法として、（一）本体部１１に複数の孔１１０が設けられ、発光素子２の発光部２１が孔１１０を介して本体部１１の外に露出されることと、（二）異なる密度の編成方法（図示せず）で編組物１を編成して、本体部１１の編組密度を緩くし、このように、発光素子２からの光が本体部１１の編み目から射出できることとの２つの方法がある。
【００１６】
前記製品上に本考案の発光部材をミシンで縫製又は編成しようとする場合に、本考案の発光部材の編組物１の延在部１２のみで、前記製品と一体に直接的にミシンで縫製又は編成可能となり、従来の欠点が完全に克服された。
＜第２実施例＞
【００１７】
図３に示すように、本考案の第２実施例の発光部材は、第１実施例と同じであり、編組物１のみが異なっている。
【００１８】
図に示すように、編組物１の本体部１１（図１を参照）は、互いに接続された両半割体１１１、１１２からなり、前記延在部１２が両半割体１１１、１１２のうちいずれか一つ（ここで、半割体１１２が図示され）から延在し、両半割体１１１、１１２うちのもう一つ（半割体１１１が図示され）は結合縁部１１３を有し、結合縁部１１３が延在部１２にミシンで縫製又は溶着（例えば、高周波又は熱熔着など）の方法で結合されている。
＜第３実施例＞
【００１９】
図１、図４に示すように、本考案の第３実施例の発光部材は、第１実施例と同じであり、発光素子２と導電体４のみが異なっている。
【００２０】
図に示すように、前記導電体４は、少なくとも２本の導線４０（例えば、２本の給電用の導線と１本制御用の導線などであり、ここで、２本の給電用の導線が図示され）であり、発光素子２の両導電部２２が２本の導線４０にそれぞれ電気的に接続されている。
【００２１】
２本の導線４０が編組物１の本体部１１と一体に編成しても良い、図４Ａに示すように、２本の導線４０が夫々間隔を置いて交互に本体部１１と一体に編成され（図示せず、図４Ａに本体部１１が示されず）、且つ、２本の導線４０の重ね部４２の間に本体部１１が介在され（図４Ａに本体部１１が示されず）、発光素子２は、パッド４１を介して導線４０に電気的に接続されている。
＜第４実施例＞
【００２２】
図５に示すように、本考案の第４実施例の発光部材は、第３実施例と同じであり、編組物１のみが異なっている。
【００２３】
図に示すように、編組物１は、一対の延在部１２、１３を有し、一対の延在部１２、１３は、いずれも本体部１１から延在され、本考案の発光部材は、編組物１の一対の延在部１２、１３により前記製品と一体にミシンで縫製又は編成されている。
＜第５実施例＞
【００２４】
図６に示すように、本考案の第５実施例において、発光素子２のみが第１実施例と同じであり、他の部分が異なっている。
【００２５】
図に示すように、本考案の発光部材は、編組物１Ａと、少なくとも一つの発光素子２と、可撓性プリント基板３Ａと、カバー５とを含む。
【００２６】
編組物１Ａは、本体部１１Ａと、本体部１１Ａから延在された延在部１２Ａとを有する。可撓性プリント基板３Ａが編組物１Ａの本体部１１Ａに溶着して結合され、少なくとも一つの発光素子２（ここで、複数の発光素子２が図示され）は、発光部２１と、少なくとも２つの導電部２２（ここで、２つの導電ピン２２が図示され）とを有し、両導電部２２が可撓性プリント基板３Ａに電気的に接続され、各発光素子２がカバー５と可撓性プリント基板３Ａとの間に覆われて保護される。
【００２７】
本考案の発光部材は、編組物１Ａの延在部１２Ａのみで、前記製品と一体にミシンで縫製又は編成可能となり、従来の欠点が完全に克服された。
【００２８】
＜電池６１の設置などの説明について＞
図１及び図２〜図６に示すように、本考案の第１〜第５実施例において、電池６１が付加され、さらに、制御回路６とスイッチ６２とが設けられることが好ましい。
【００２９】
図に示すように、制御回路６とスイッチ６２とが、いずれも導電体３、４又は可撓性プリント基板３Ａに電気的に接続され、制御回路６とスイッチ６２と電池６１とが導電体３、４又は可撓性プリント基板３Ａに電気的に直列接続され、図に示すように、導線（符号を示さず）により電気的に直列接続されることで、制御回路６とスイッチ６２と電池６１とが前記導線により編組物１、１Ａの外に引き出され、さらに、該引き出された部分が製品の適当な場所（例えば、衣服の内面など）に位置決め（例えば、ミシン縫製）される。そのうち、制御回路６は、発光素子２の発光方式（例えば、正常発光、点滅或いは異なる輝度など）を制御する。
【００３０】
よって、本考案の発光部材は、電池６１により発光素子２に電力を供給して発光させ、さらに、スイッチ６２により発光素子２の点灯や滅灯を制御し、また、制御回路６により発光素子２の発光方式を制御できる。
【００３１】
図７に示すように、上記と変わって前記電池６１に外接方式で電気的に接続されている（前記外接として制御回路６をさらに含むことが好ましい）。図に示すように、本考案の発光部材の各実施例は、さらに、外部接続部材７と、コネクタ７１とを含み、コネクタ７１とスイッチ６２とが導線により導電体３、４又は可撓性プリント基板３Ａに電気的に直列接続されることで、コネクタ７１とスイッチ６２とが前記導線により編組物１、１Ａの外に引き出され、さらに、該引き出された部分が製品の適当な場所（例えば、衣服の内面など）に位置決め（例えば、ミシン縫製）される。外部接続部材７は、電池６１と、発光素子２の発光方式を制御する制御回路６とを有し、前記発光方式は、正常発光、点滅或いは異なる輝度などを含み、外部接続部材７にはコネクタ７１に対応する対応コネクタ７２がさらに接続され、外部接続部材７は、対応コネクタ７２によりコネクタ７１に突き合せて導電体３、４又は可撓性プリント基板３Ａに電気的に接続されている。
【００３２】
よって、スイッチ６２により点灯や滅灯を制御できる外、さらに、外部接続部材７が外接されているか否かに基づいて、電池６１及び制御回路６を使用するか否かを選択できる。
【００３３】
図８は、本考案の電池６１などの部材が付加された場合の回路ブロック図である。図に示すように、制御回路とスイッチとがいずれも電池に電気的に接続され、スイッチが電池の給電を制御し、制御回路は、発光素子の発光方式を制御する。
【００３４】
本考案の発光部材は、発光素子２と導電体３、４とが編組物１の本体部１１内に設置又は編成され、編組物１が延在部１２、１３を有し、本考案の発光部材の編組物１の延在部１２、１３のみで、前記製品と一体に直接的にミシンで縫製又は編成可能となり、従来の欠点が完全に克服された。前記延在部１２、１３により、これらの製品が作成のときにその本来の方法で両者の結合を行うことができるので、前記製品の本来の造形を保持できる外、発光素子の特色も向上される。さらに、電池６１により発光素子２に電力を供給して発光させ、スイッチ６２により発光素子２の点灯や滅灯を制御し、制御回路６により発光素子２の発光方式を制御し、外部接続部材７により電池６１及び制御回路６を使用するか否かを自由に選択できる。また、前記延在部１２、１３は、絶縁液に浸漬することで絶縁効果を備える。さらに、電池６１は、最も新しく研究開発されたシート状の可撓性電池であり、人が着用する製品により適用されることになる。また、編成のときに編機で発光素子を編組物内に一体に編成し、使用しようとするときに、必要の長さに応じてカットすればよい、続いて、さらにスイッチ、電池及び制御回路などに結合し、全体が様々な要求、規格に応じて作成できるようになる。或いは、現有の布や編みもので発光素子を覆い、次に、発光素子の発光部を露出させるため、押し抜きや穴開けなどの方法で前記孔を開設することができる。
【００３５】
以上のように単に本考案の好ましい実施例に過ぎず、本考案の実用新案登録請求の範囲を限定するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【符号の説明】
【００３６】
１・・・・・・編組物
１Ａ・・・・・編組物
２・・・・・・発光素子
３、４・・・・導電体
３Ａ・・・・・可撓性プリント基板
５・・・・・・カバー
６・・・・・・制御回路
７・・・・・・外部接続部材
１１・・・・・本体部
１１Ａ・・・・本体部
１２Ａ・・・・延在部
１２、１３・・延在部
２１・・・・・発光部
２２・・・・・導電部
４０・・・・・導線
４１・・・・・パッド
４２・・・・・重ね部
６１・・・・・電池
６２・・・・・スイッチ
７１・・・・・コネクタ
７２・・・・・対応コネクタ
１１０・・・・孔
１１１、１１２・・半割体
１１３・・・・結合縁部
【図１】
0003167296.tif 000003
【図２】
0003167296.tif 000004
【図３】
0003167296.tif 000005
【図４】
0003167296.tif 000006
【図４Ａ】
0003167296.tif 000007
【図５】
0003167296.tif 000008
【図６】
0003167296.tif 000009
【図７】
0003167296.tif 000010
【図８】
0003167296.tif 000011